(57)【要約】【課題】  外槽と筐体の内部に固定される乾燥装置を接続するベローズにより，外槽から筐体に伝達する振動を低減する洗濯乾燥機を提供することである。【解決手段】  回転軸を略水平又は奥側が下になるように傾斜した回転自在なるドラム２１と，該ドラム２１を内包すると共に洗濯水を溜める外槽１１と，該外槽１１を内包する筐体１と，温風を送風するための乾燥装置２５とを有し，該乾燥装置２５の少なくとも一部を筐体１側に配置した洗濯乾燥機において，前記乾燥装置２５側の通風路２５ａは，伸縮自在のベローズＡ２４を介して前記外槽１１の流入口１１ｂに接続し，ベローズＡ２４は山部２４ａと谷部２４ｂを有し，該山部２４ａの外周に部分的に凹部２４ｃを設けた。【選択図】図３
2017086286.tif 000002
【特許請求の範囲】
【請求項１】
内槽と，該内槽を内包すると共に洗濯水を溜める外槽と，該外槽を内包する筐体と，前記内槽に温風を送風するための乾燥装置と、を有し，該乾燥装置の少なくとも一部を筐体側に配置した洗濯乾燥機において，
前記乾燥装置側の通風路は，伸縮自在のベローズを介して前記外槽の流入口に接続し，前記ベローズは山部と谷部を有し，該山部の外周に凹部を有することを特徴とする洗濯乾燥機。
【請求項２】
請求項１に記載の洗濯乾燥機において，
前記山部の外周に備えた前記凹部は，前記洗濯乾燥機の前後方向又は左右方向に備えることを特徴とする洗濯乾燥機。
【請求項３】
請求項１または請求項２における洗濯乾燥機において，
前記山部の外周に備えた前記凹部を，対面する二ヶ所に備えたことを特徴とする洗濯乾燥機。
【請求項４】
内槽と，該内槽を内包すると共に洗濯水を溜める外槽と，該外槽を内包する筐体と，前記内槽に温風を送風するための乾燥装置とを有し，該乾燥装置の少なくとも一部を筐体側に配置した洗濯乾燥機において，前記乾燥装置側の通風路は，伸縮自在のベローズを介して前記外槽の流入口に接続し，該ベローズは山部と谷部を有し，該山部の断面形状が，略楕円形状となることを特徴とする洗濯乾燥機。
【請求項５】
請求項１〜４いずれか１項に記載の洗濯乾燥機において、
前記内槽は、回転軸を略水平又は奥側が下になるように傾斜した回転自在なるドラムであることを特徴とする洗濯乾燥機。
【発明の詳細な説明】
【技術分野】
【０００１】
本発明は，洗濯，脱水及び乾燥を行う洗濯乾燥機に係り，外槽と筐体の接続部の防振に関する。
【背景技術】
【０００２】
例えば、ドラム式洗濯乾燥機は，水を溜める外槽に衣類を投入するドラムを内包している。ドラム内に給水と排水と送風を行うため，筺体の内部に固定される部品と外槽は，流路を形成するベローズとホースとで接続される。洗濯乾燥機は，洗いと，すすぎと，脱水と，乾燥の各工程を行う。脱水は，洗いと，すすぎの各工程後に行われる。脱水を開始し，徐々にドラムの回転速度が上昇すると，ある回転速度以上で衣類がドラムに張り付く。ドラムに張り付いた衣類は，ドラム内で片寄っているとアンバランスを発生させる原因となる。ドラム内でアンバランスが発生すると，ドラム回転時に振動が大きくなる。ドラム回転時に振動が大きくなると，ドラムを内包している外槽の振動も大きくなり，特に左右方向の振動が大きくなる。外槽は，サスペンションと吊りばねで上下方向に防振支持されている。しかし，外槽の振動が大きいと，サスペンションと吊りばねや，外槽と筐体の内部に固定している部品とを接続するベローズやホースから筐体に外槽の振動が伝達する。外槽の振動が筐体に伝達すると，筐体全体が振動して，使用者の不快感につながる。
【０００３】
従来技術には，特開２００８−１１３９８１号公報（特許文献１）がある。この公報には，筐体に固定される乾燥装置側の通風路をベローズを介して外槽側に接続し，ベローズを，その伸縮する方向が外槽の前面に沿うか或いは略鉛直方向に沿うように設けると共に，外槽の前面の外周縁よりも外側に設けていると記載されている。また，特開２００７−３３０４１５号公報（特許文献２）には，水槽と筐体の間に蛇腹を有する環状の振動抑制部材を設け，蛇腹の直線部の折曲げ部のピッチを上部は小さく下部になるにしたがって大きく形成し，自重がかかったときは蛇腹の直線部の各折曲げ部のピッチがほぼ等しくなることが記載されている。 
【先行技術文献】
【特許文献】
【０００４】
【特許文献１】特開２００８−１１３９８１号公報
【特許文献２】特開２００７−３３０４１５号公報
【発明の概要】
【発明が解決しようとする課題】
【０００５】
特許文献１は，洗濯乾燥機の大型化を防ぎながら，外槽の振動を一部吸収するために，筐体の内部に固定される乾燥装置と外槽の流入口の上下方向を外槽の前面の外周縁よりも外側に，伸縮自在なベローズで筐体内部の空間に効率よく，接続している。しかしながら，特許文献１は，ベローズの伸縮方向となる上下方向以外に対する振動すなわち外槽の左右方向と前後方向の振動が考慮されていない。ベローズは，一般的に加振力により変形して，加振力が小さいと変形が小さく，加振力が大きいと変形が大きくなる。外槽の振動が小さく，ベローズに伝わる外槽の振動による加振力が小さいと，外槽の振動による加振力に対して，ベローズの変形は線形性を保ちながら伸びる。外槽の振動がある値を超えて大きくなる，つまり外槽の振動による加振力が大きくなると，ベローズに伝わる外槽の振動による加振力が大きくなり，ベローズの変形が大きくなる。ベローズの変形がある値を超えて大きくなると，外槽の振動による単位加振力に対して，ベローズの変形が小さくなり，ベローズの伸びが非線形を有する。つまり，ある加振力を超えると単位加振力当たりのベローズの伸びは小さくなり，相対的にベローズが硬くなる。そのため，ドラム内の衣類が多い状態では，下方向へのベローズの伸びが大きい状態となり，ベローズが伸縮する上下方向以外，すなわち外槽が左右方向または前後方向に振動すると，外槽の振動による加振力に対して，ベローズの変形が小さく，伸びは非線形を示す。そのため，ドラム内に衣類が少なく，下方向へのベローズの伸びが小さい状態に比べて相対的に硬くなる。上述の様にベローズが相対的に硬くなると，外槽の振動による加振力が筐体に伝達しやすくなり，筺体振動が大きくなる。
【０００６】
特許文献２は，ドラム内の衣類が多い状態では，下方向へのベローズの伸びが大きい状態となり，外槽の振動による加振力に対して，ベローズの変形が小さく，伸びは非線形性を示すため，ドラム内に衣類が少ない状態に比べて，ベローズが相対的に硬くなる。ベローズが相対的に硬い状態で，外槽の左右方向または前後方向の振動よる加振力がベローズに伝わると，外槽の振動による加振力が筐体に伝達しやすくなり，筺体振動が大きくなる。
【０００７】
特許文献１と特許文献２のようにベローズの伸びが非線形を示して，初期の伸びに比べて相対的に硬くなると，外槽の振動による加振力が筐体に伝達しやすくなり，筐体の振動が大きくなる。また，筐体の振動を低減するためには，筐体の内部部品の構成や配置の変更と，防振材の追加が必要となる。
【０００８】
本発明の目的は，外槽の振動による加振力によって，単位加振力当たりのベローズの伸びが非線形性を示して，相対的に硬くなることを抑制して，外槽の振動による加振力の筐体への伝達を抑制して，筐体内部部品の構成や配置の変更と，防振部材を追加することなく，筐体の左右方向あるいは前後方向の振動を低減できる洗濯乾燥機を提供することである。 
【課題を解決するための手段】
【０００９】
本発明は上記課題を解決する手段を複数含んでいるが，その一例を挙げるならば，内槽と，該内槽を内包すると共に洗濯水を溜める外槽と，該外槽を内包する筐体と，前記内槽に温風を送風するための乾燥装置とを有し，該乾燥装置の少なくとも一部を筐体側に配置した洗濯乾燥機において，前記乾燥装置側の通風路は，伸縮自在のベローズを介して前記外槽の流入口に接続し，該ベローズは山部と谷部を有し，該山部の外周に凹部を有することを特徴とする洗濯乾燥機。
【発明の効果】
【００１０】
本発明によれば，筐体の左右方向あるいは前後方向の振動を低減する洗濯乾燥機を提供することができる。 
【図面の簡単な説明】
【００１１】
【図１】本発明の実施例における洗濯乾燥機の斜視図である。
【図２】本発明の実施例における洗濯乾燥機の内部構造を示す側面図である。
【図３】第一の実施例における図２のＡ部拡大図である。
【図４】第一の実施例における図３の平面図である。
【図５】第一の実施例におけるベローズが変形した模式図である。
【図６】第二の実施例における図２のＡ部拡大図である。
【図７】第二の実施例における図６の平面図である。
【図８】第二の実施例におけるベローズが変形した模式図である。
【発明を実施するための形態】
【００１２】
以下，本発明を実施するための形態例について，図面を参照して説明する。なお，上下方向，左右方向，前後方向については図１に示す方向とする。
【００１３】
（実施例１）
図１は本実施例における洗濯乾燥機１００の斜視図，図２は洗濯乾燥機１００の内部構造を示す側面図である。図１と図２を用いて，洗濯乾燥機１００の構成と動作を説明する。
【００１４】
図１に示す洗濯乾燥機１００の外郭を構成する筐体１は，ベース１ａの上に取付けられており，左右の側板１ｂ，前面カバー１ｃ，背面カバー１ｄ（図２参照），上面カバー１ｅ，下部前面カバー１ｆで構成されている。上面カバー１ｅには，水道栓からの洗濯乾燥機１００に給水するための給水ホース接続口３０を設けている。筐体１は，ベース１ａを含めて箱状の外枠を形成し，外枠として十分な強度を有している。
【００１５】
ドア２は，前面カバー１ｃの略中央に設けた衣類を出し入れするための投入口１ｇ（図２参照）を塞ぐためのもので，前補強材１３（図２参照）に設けたヒンジで開閉可能に支持されている。ドア２は，ドア開放取手２ａを引くことでロック機構（図示せず）が外れて開き，ドア２を前面カバー１ｃに押し付けることでロックされて閉じる。前補強材１３（図２参照）は，後述する外槽１１の開口部と略同心に，衣類を出し入れするための円形の開口部を有している。
【００１６】
筐体１の上部に設けた操作・表示パネル３は，電源スイッチ４，操作スイッチ５，表示器６を備える。操作・表示パネル３は外枠の下部に設けた制御装置７（図２参照）に電気的に接続している。制御装置７には冷却ファン（図示せず）が取付けられている。ベース１ａの近傍には，排水を行うための排水ホース１４が取付けられている。
【００１７】
図２に示す洗濯乾燥機１００の筐体１の内部には，水を溜める外槽１１が備えられる。外槽１１は筐体１の下方に備えたサスペンション２６と，筐体１の上方に備えた吊ばね８により，上下方向が防振支持されている。外槽１１は，衣類を収納するためのドラム２１を内包する。外槽１１の後方には，ドラム２１を回転させるためのモータ２２を備える。モータ２２は，回転軸となるシャフト２２ａが外槽１１を貫通し，ドラム２１と結合している。モータ２２が駆動すると，ドラム２１は，正転（洗濯乾燥機１００を正面から見て時計回り），逆転（洗濯乾燥機１００を正面から見て反時計回り）方向の両方向に回転駆動される。
【００１８】
ドラム２１内周壁には，複数個のリフタ２１ｂが設けられている。また，ドラム２１の前端には，円筒状の流体バランサ２１ｃが設けられている。図２中に示すドラム２１の回転軸Ａｚは，洗濯乾燥機１００の前方から後方に向けて略水平又は奥側が下になるように傾斜させている。外槽１１は，前方を開口として，後方を閉じた略円筒を形成している。外槽１１の前方の開口部は，衣類を出し入れするための外槽１１の開口部１１ａを形成している。この外槽１１の開口部１１ａと筺体１の投入口１ｇは，前後方向に伸縮しやすいベローズＢ１６により接続される。ベローズＢ１６は，環状のパッキンである弾性体のエラストマーや合成ゴム材料から成形され，ドア２を閉めることで水封する。また，筐体１の投入口１ｇ，外槽の開口部１１ａ，ドラム２１の開口部２１ａは連通しており，ドア２を開くことでドラム２１内への衣類の出し入れが可能となる。なお，外槽１１は，開口部１１ａを含む側と，モータ２２の取り付けられる側とに分割することができる。本実施の形態例では，上述の様に筺体１と外槽１１とを接続するベローズをベローズＢ１６として，後述する乾燥装置２５の通風路２５ａと外槽１１の流入口１１ｂとを接続するベローズをベローズＡ２４とする。
【００１９】
外槽１１には，給水弁１５ならびに洗剤容器１２を介して給水ホース１７の一端を接続している。給水弁１５を開くことで，給水ホース接続口３０から外槽１１内に洗濯水の供給を行う。排水ホース１４は，排水経路に排水弁１４ａを有しており，この排水弁１４ａを開くことで，外槽１１内の洗濯水の排水を行う。
【００２０】
筺体１には，ドラム２１内の衣類に温風を吹きつける，送風手段である乾燥装置２５が固定されて設けられている。乾燥装置２５からの温風をドラム２１内に導くために，乾燥装置２５の前側に通風路２５ａと外槽１１の前側の外周の一部に流入口１１ｂとが対面して設けられている。乾燥装置２５の通風路２５ａと外槽１１の流入口１１ｂとは，ベローズＡ２４により，上下方向に接続される。このベローズＡ２４は，弾性体のエラストマーや合成ゴム材料から成形されて，山部２４ａと谷部２４ｃを有しており，上下方向に伸縮しやすい。
【００２１】
上記構成において，その動作を説明する。電源スイッチ４を押すと，洗濯乾燥機１００が起動する。ドア開放取手２ａを引いて，ドア２を開いてドラム２１内に衣類を投入し，操作スイッチ５を操作することで，運転を開始する。運転を開始すると，ドラム２１が回転して，注水前の衣類について布量を算出する。尚，モータ２２の回転速度と電流値に基づいて，ドラム２１内の衣類の重量を算出する。衣類の重量を算出して，表示器６に投入する洗剤量を表示する。洗剤容器１２内に所定量の洗剤量を投入後，始めに洗い工程を開始する。洗い工程において，給水弁１５を開いて，給水ホース接続口３０から供給した水を給水ホース１７ならびに洗剤容器１２を介して，洗剤と共に外槽１１内に給水する。この動作を所定時間実行した後，ドラム２１が正転，停止，逆転，停止を繰り返す洗い動作を所定時間行う。このとき，ドラム２１の内周壁に設けられたリフタ２１ｂによってドラム２１の回転方向に持ち上げられた衣類が落下する。この落下によるたたき動作を繰り返す，洗い工程を行う。
【００２２】
洗い工程を行った後，脱水工程を実行する。この脱水工程においては，まず排水弁１４ａを開いて，外槽１１内の水が排水ホース１４を介して洗濯乾燥機１００の外に排水する。次に，ドラム２１が一方向に回転して，ドラム２１内に衣類を張りつかせるとともに，ドラム２１が所定回転数（例えば，９００ｒ／ｍｉｎ）に到達した後にドラム２１が所定時間回転することで，衣類に含まれる水を遠心脱水する。
【００２３】
この脱水工程を行った後，給水弁１５を開いて水を外槽１１に供給する。その供給された水は，洗剤容器１２および給水ホース１７を介して，外槽１１内に給水される。外槽１１内に給水を行った後，すすぎ工程を行う。このすすぎ工程においては，前述した洗い工程と同様に，ドラム２１が正転，停止，反転，停止の動作を繰り返す。このとき，ドラム２１の内周壁に設けられたリフタ２１ｂによってドラム２１の回転方向に持ち上げられた衣類が落下する攪拌動作を繰り返す，すすぎ動作を所定時間行う。
【００２４】
その後，前述した脱水工程およびすすぎ工程を所定回数繰り返し，最終脱水工程に移行する。この最終脱水工程における脱水時間は，前述の脱水工程より長く設定してある。この最終脱水工程を行った後，乾燥工程を行う。
【００２５】
乾燥工程では，乾燥装置２５からの温風を通風路２５ａからベローズ２４を介して，外槽１１の流入口１１ｂから，外槽１１内への送風を所定時間行う。その際，前述した洗い工程と同様に，ドラム２１が正転，停止，反転，停止の動作を繰り返す。このとき，ドラム２１の内周壁に設けられたリフタ２１ｂによって回転方向に持ち上げられた衣類が落下する攪拌動作を繰り返す，乾燥動作を所定時間行う。
【００２６】
外槽１１の振動による加振力の筺体１への伝達を抑制するために，本実施の形態例の乾燥装置２５の通風路２５ａと外槽１１の流入口１１ｂを接続するベローズＡ２４の構成を図３と図４を用いて説明する。図３は，本実施の形態例のベローズＡ２４が乾燥装置２５の通風路２５ａと外槽１１の流入口１１ｂを接続している状態の図２のＡ部拡大図を示す。図４は，図３のベローズＡ２４の平面図を示す。
【００２７】
本実施の形態例のベローズＡ２４は，山部２４ａの外周からベローズ２４ａの中心方向に向かって，Ｖ字状の凹部２４ｃを設けている。なお，直交する２つの中心軸Ａｘ，Ａｙに対し，略対称となるように凹部２４ｃを設けており，中心軸Ａｙが凹部２４ｃの中央を通る。また，凹部２４ｃの角度θは例えば６０度程度にしており，凹部２４ｃは，山部２４ａの山毎に備えられる。すなわち，凹部２４ｃは，山部２４ａの山数の２倍が備えられる。略円形の外周に凹部２４ｃを備えた場合は，Ｖ字状の直線部が略円形の円弧よりも長くなる様にしている。山部２４ａの外周に凹部２４ｃを備えることで，Ｖ字状の直線部を図中の点線で示した円弧よりも長くすることができる。凹部２４ｃは，Ｖ字の直線部が長いため，外槽１１の振動による加振力に対して，変形しやすくなる。外槽１１の左右方向の振動により，ベローズＡ２４に加振力が伝わった場合は，凹部２４ｃの直線部が図中の左右方向に変形する。凹部２４ｃの直線部が外槽の左右方向の振動と同じ左右方向に変形することで，外槽１１の振動による加振力に対して，ベローズＡ２４の伸びが線形性を保つことができ，ベローズＡ２４が硬くなることを抑制できる。なお，凹部２４ｃのＶ字状の谷部は，丸みを持たせて，滑らかに構成してもよいし，Ｕ字状としても良い。なお，ベローズＡ２４に切れ込み（図示せず)を設け，通風路２５と流入口１１ｂとには凸部（図示せず）を設けて，凹部２４の周方向を位置決めできるようにするとなおよい。
【００２８】
上記構成によって，外槽１１の左右方向の振動による加振力の筺体１への伝達を抑制して，筐体１の左右方向の振動を低減させる構造を図５を用いて説明する。図５は，外槽１１の振動による加振力によって，ベローズＡ２４が変形した模式図を示す。ここで，図中の矢印はベローズＡ２４の変形方向を示す。
【００２９】
凹部２４ｃの谷部を洗濯乾燥機１００の前後方向に備えることで，外槽１１の左右方向の振動による加振力が，ベローズ２４の左右方向に伝わり，ベローズ２４が左右方向に変形する。ベローズ２４が左右方向に変形すると，凹部２４ｃの直線部も左右方向に変形するため，外槽１１の左右方向の振動による加振力に対して，ベローズＡ２４の伸びが線形性を保てることで，ベローズＡ２４が硬くなることを抑制できる。そのため，外槽１１の左右方向の振動による加振力の筐体１への伝達を従来構造に対し抑制できるので，筐体１の左右方向の振動を低減できる。また，ドラム２１内の衣類が多く，外槽１１が沈み込んで，下方向にベローズＡ２４が大きく伸びた場合においても，外槽１１の左右方向の振動によって，ベローズＡ２４の左右方向に加振力が伝わり，ベローズＡ２４が左右方向に変形した場合は，凹部２４ｃの直線部が左右方向に伸びる。そのため，外槽１１の左右方向の振動による加振力がベローズＡ２４の左右方向に伝わっても，ベローズＡ２４の伸びが線形性を保てるため，ベローズＡ２４が硬くなることを抑制でき，外槽１１の左右方向の振動による加振力の筐体１への伝達を抑制できて，筐体１の左右方向の振動を低減できる。
【００３０】
従って，外槽１１を防振支持しているサスペンション２６と，吊りばね８や，ベローズ１６といった筐体１の内部の部品構成と配置の変更と，筐体１の内部に防振部材を追加する必要がないため，コストの上昇や作業性を低下させることなく，筐体１の左右方向の振動を低減できる。
【００３１】
ここで，ベローズＡ２４は上下方向に伸縮しやすくするために，凹部２４ｃが，ベローズＡ２４の内側に突出しても，ベローズＡ２４の上下方向の伸縮性に与える影響が小さい。また，ベローズＡ２４の上下方向の伸縮性を維持するためには，凹部２４ｃが先端に向かうにつれて薄肉化させてもかまわない。
【００３２】
また，本実施の形態例では，凹部２４ｃを洗濯乾燥機１００の前後方向に設けたが，凹部２４ｃを洗濯乾燥機１００の左右方向にも設けることで，筐体１の前後方向の振動も低減できる。
【００３３】
（実施例２）
次に実施例２について図６と図７と図８を参照して詳細に説明する。なお，洗濯乾燥機１００については，実施例１と基本的に同様な構成であるので，以下では，異なる部分について説明する。
【００３４】
図６は，実施例２におけるベローズＡ２４ｄの図２のＡ部拡大図である。図７は，実施例２のベローズＡ２４ｄの平面図を示す。図８は，外槽１１の振動による加振力よって，実施例２のベローズＡ２４ｄが変形した模式図を示す。ここで，図中の矢印はベローズＡ２４ｄの変形方向を示す。
【００３５】
実施例２では，ベローズＡ２４ｄは山部２４ｅと谷部２４ｆを有し，実施例１とは異なり，山部２４ｅの外周を左右方向を長径，前後方向を短径とした略楕円形状となる。なお，谷部２４ｆの外周は，左右方向を長径，前後方向を短径とした略楕円形状としても良いし，略円形にしても良い。山部２４ｅの外周を左右方向の径が長い略楕円形状とすることで，ドラム２１内の衣類が多く，外槽１１の沈み込みにより，下方向にベローズＡ２４ｄが伸びた場合でも，ベローズＡ２４ｄが左右方向に伸びることができる。外槽１１の左右方向の振動による加振力がベローズＡ２４ｄに伝わると，山部２４ｅが左右方向に伸びて変形する。山部２４ｅは，左右方向が長い略楕円形状のため，左右方向に伸びやすくなる。そのため，外槽１１の左右方向の振動による加振力に対する，ベローズ２４ｄの伸びが線形性を保つことができ，ベローズＡ２４ｄが硬くなることを抑制できるため，実施例１の様に外槽１１の左右方向の振動による加振力の筐体１への伝達を抑制でき，筐体１の左右方向の振動を低減できる。
【００３６】
なお，本実施の形態例では，ベローズ２４ｄは左右方向の長い略楕円形状としたが，前後方向を長い略楕円形状とすることで，筐体１の前後方向の振動を低減することができる。
【００３７】
また、上記実施例では、ドラム式洗濯機を例に説明したが、本発明は、タテ型洗濯機などに適用出来る。この場合、ドラム２１は単に内槽であってもよい。
【符号の説明】
【００３８】
１・・・筐体
１ａ・・・ベース
１ｂ・・・左右の側板
１ｃ・・・前カバー
１ｄ・・・背面カバー
１ｅ・・・上面カバー
１ｆ・・・下部前面カバー
１ｇ・・・投入口
２・・・ドア
２ａ・・・ドア開放取手
３・・・操作・表示パネル
４・・・電源スイッチ
５・・・操作スイッチ
６・・・表示器
７・・・制御装置
８・・・吊ばね
１１・・・外槽
１１ａ・・・外槽開口部
１１ｂ・・・外槽の流入口
１２・・・洗剤容器
１３・・・前補強部材
１４・・・排水ホース
１４ａ・・・排水弁
１５・・・給水弁
１６・・・ベローズＢ
１７・・・給水ホース
２１・・・ドラム
２１ａ・・・開口部
２１ｂ・・・リフタ
２１ｃ・・・流体バランサ
２２・・・モータ
２２ａ・・・シャフト
２４・・・ベローズＡ
２４ａ・・・山部
２４ｂ・・・谷部
２４ｃ・・・凹部
２４ｄ・・・ベローズ
２４ｅ・・・山部
２４ｆ・・・谷部
２５・・・乾燥装置
２５ａ・・・通風路
２６・・・サスペンション
３０・・・給水ホース接続口
１００・・・洗濯乾燥機
【図１】
2017086286.tif 000003
【図２】
2017086286.tif 000004
【図３】
2017086286.tif 000005
【図４】
2017086286.tif 000006
【図５】
2017086286.tif 000007
【図６】
2017086286.tif 000008
【図７】
2017086286.tif 000009
【図８】
2017086286.tif 000010